(57)【要約】      （修正有）【課題】スマートフォンの使用態様や利用態様に変化を持たせることを可能とするスマートフォン用多機能収容ケースを提供する。【解決手段】ケース上面部２とケース下面部３とを重ねて固定することにより、ケース上面部とケース下面部の間にスマートフォン１が収容・固定されるスマートフォン収容部が形成され、ケースカバー部４はケース上面部２あるいはケース下面部３を選択的に覆う。ケース部の両側面に沿って摺動溝１０が設けられ、ケースカバー部の左右側面部の端部の内側に摺動ピン１２が立設され、摺動ピン１２は摺動溝１０に摺動自在に嵌合され、ケースカバー上面部の摺動ピン側の端部には、ケース部が摺動ピンを中心としてケースカバー部の周りを回動することを可能とする凹部が設けられている。【選択図】図２
0003176960.tif 000002
【実用新案登録請求の範囲】
【請求項１】
ケース上面部と、
ケース下面部と、
ケース上面部あるいはケース下面部を選択的に被覆するケースカバー部とからなるスマートフォン用多機能収容ケースであって、
ケース上面部にはスマートフォンのディスプレイ操作部を露出させるディスプレイ窓部とスマートフォンの操作部を露出させる操作窓部が設けられ、
ケース上面部とケース下面部とを重ねて固定することによりケース部が形成され、ケース上面部とケース下面部の間にスマートフォンが収容・固定されるスマートフォン収容部が形成されるようになっており、
ケースカバー部はケース上面部あるいはケース下面部を選択的に覆うカバー上面部とカバー上面の両端につながりケース部の左右側面を覆うカバー左右側面部とからなり、
ケース部の両側面に沿って摺動溝が設けられ、ケースカバー部左右側面部の端部の内側に摺動ピンが立設され、摺動ピンは摺動溝に摺動自在に嵌合され、摺動溝の両端は摺動ピンが外れない構成とされ、
ケースカバー上面部の摺動ピン側の端部には、ケース部が摺動ピンを中心としてケースカバー部の周りを回動することを可能とする凹部が設けられていることを特徴とする、スマートフォン用多機能収容ケース。
【請求項２】
ケース上面部及びケース下面部は略同一の外形形状を有し、ケース上面部及びケース下面部の各側面の下端面に対応する凹部がそれぞれ形成され、ケース上面部及びケース下面部を重ね合わせて固定した場合にケース上面部及びケース下面部の各側面の対応する下端面凹部によって前記摺動溝が形成されていることを特徴とする、請求項１に記載したスマートフォン用多機能収容ケース。
【考案の詳細な説明】
【技術分野】
【０００１】
本考案は、スマートフォン用多機能収容ケースに関する。
【背景技術】
【０００２】
従来、携帯電話やスマートフォンでは機器を保護するために使用する布製、プラスチック製、皮製等の保護カバーが市販されているが、保護するための目的の為のもので、これらの保護カバーは携帯電話やスマートフォンの使用態様や利用態様に変化を持たせる工夫は何らされていなかった。
【考案の概要】
【考案が解決しようとする課題】
【０００３】
本考案は、スマートフォンを収容するためのスマートフォン用多機能収容ケースであって、スマートフォンの使用態様や利用態様に変化を持たせることを可能とするスマートフォン用多機能収容ケースを提供することを目的とする。
【課題を解決するための手段】
【０００４】
（１）本考案に係るスマートフォン用多機能収容ケースは、
ケース上面部と、
ケース下面部と、
ケース上面部あるいはケース下面部を選択的に被覆するケースカバー部とからなるスマートフォン用多機能収容ケースであって、
ケース上面部にはスマートフォンのディスプレイ操作部を露出させるディスプレイ窓部とスマートフォンの操作部を露出させる操作窓部が設けられ、
ケース上面部とケース下面部とを重ねて固定することによりケース部が形成され、ケース上面部とケース下面部の間にスマートフォンが収容・固定されるスマートフォン収容部が形成されるようになっており、
ケースカバー部はケース上面部あるいはケース下面部を選択的に覆うカバー上面部とカバー上面の両端につながりケース部の左右側面を覆うカバー左右側面部とからなり、
ケース部の両側面に沿って摺動溝が設けられ、ケースカバー部左右側面部の端部の内側に摺動ピンが立設され、摺動ピンは摺動溝に摺動自在に嵌合され、摺動溝の両端は摺動ピンが外れない構成とされ、
ケースカバー上面部の摺動ピン側の端部には、ケース部が摺動ピンを中心としてケースカバー部の周りを回動することを可能とする凹部が設けられていることを特徴とする。
【０００５】
本考案に係るスマートフォン用多機能収容ケースの好適な実施態様としては、以下のものを上げることができる。
ケース上面部及びケース下面部は略同一の外形形状を有し、ケース上面部及びケース下面部の各側面の下端面に対応する凹部がそれぞれ形成され、ケース上面部及びケース下面部を重ね合わせて固定した場合にケース上面部及びケース下面部の各側面の対応する下端面凹部によって前記摺動溝が形成されていることを特徴とする。
【考案の効果】
【０００６】
スマートフォンを使用する際には、ケース部に対してケースカバー部を摺動・回動させることによってケースカバー部でケース下面部を覆うとともに、
スマートフォンのディスプレイ操作面を露出させ、スマートフォンの操作が容易にできる。また、スマートフォンを使用しない場合には、ケース部に対してケースカバー部を摺動・回動させることによって、ケースカバーでケース上面部を覆うことによりスマートフォンのディスプレイ操作部を確実に保護することができる。
【０００７】
また、スマートフォンを立てて、ケースカバー部の上面を上方に向けケースカバー部の摺動ピンを摺動溝の下方に位置させた状態で、ケース下面部の下端部をカバー上面部の凹部に当接させることによって、ケースカバー部によってスマートフォンをスタンド状に支持することが可能となる。
さらに、ケースカバー部をケース部から最大限引き出した状態では、収容ケースを把持する手の部分を除いて３６０度の範囲でスマートフォンを素早く回動させることができるので、遊戯的な感覚でスマートフォンを回動操作することが可能となる。
【０００８】
また、スマートフォンを振ることによって音声が出るソフトをスマートフォンにインストールすれば、上記回動動作を行う時にヌンチャクを振る時のような強弱のある音が出て、あたかもヌンチャクを操作しているような楽しみ方ができる。
【図面の簡単な説明】
【０００９】
【図１】スマートフォンを内部に収容・固定したスマートフォン用多機能収容ケースの斜視図である。
【図２】ケース下面部の下端部をカバー上面部の凹部に当接させることによって、スマートフォン用多機能収容ケースをスタンドとしてスマートフォンを支持する状態を示す斜視図である。
【図３】（ａ）はスマートフォンを内部に収容・固定したスマートフォン用多機能収容ケースの立面図、（ｂ）は（ａ）左側の線Ａ−Ａの断面図、（ｃ）は右側面図、（ｄ）は平面図である。
【図４】図２に示すように、スマートフォン用多機能収容ケースをスタンドとしてスマートフォンを支持した状態の側面図である。
【図５】（ａ）はケース上面部の立面図、右側面図及び平面図を示し、（ｂ）はケース下面部の立面図、右側面図及び平面図を示し、（ｃ）はケースカバー部の立面図、右側面図及び平面図を示す。
【図６】スマートフォンを含めた、スマートフォン用多機能収容ケースの分解図であり、スマートフォンを収容してスマートフォン用多機能収容ケースを組み立てる態様を示す斜視図である。
【図７】（ａ）乃至（ｈ）は、ケース部をケースカバー部に対して連続的に動かした状態を示す斜視図である。
【考案を実施するための形態】
【００１０】
以下に、本考案を図面を参照して詳細に説明する。
図１は、スマートフォンを内部に収容・固定したスマートフォン用多機能収容ケースの斜視図である。図中、１はスマートフォン用多機能収容ケース内部に収容・固定されたスマートフォンを示し、多機能収容ケースは矩形状のケース上面部２、矩形状のケース下面部３、およびケース上面部２とケース下面部３とで形成されるケース部を被覆するケースカバー部４とからなる。ケース上面部２には、スマートフォン１のディスプレイ操作部Ｄを露出させるためのディスプレイ窓部５、スマートフォン１の操作部を露出させるための操作窓部６、スマートフォン１のスピーカ部を露出させるためのスピーカ窓部７が設けられている。１２は摺動ピン（後述）である。
【００１１】
なお、スマートフォンとは、一般には個人用の携帯コンピュータの機能を有する携帯電話を指すが、本考案では携帯電話も含みえる。一般的なスマートフォンの持つ機能としては、例えば、ウェブ閲覧や、電子メールの送受信、文書ファイルの作成・閲覧、写真や音楽、ビデオの再生・閲覧、カレンダー機能、住所録、電卓、内蔵カメラのある機種では写真や動画の撮影、テレビ電話等を挙げることができる。
【００１２】
図２は、ケース下面部３の下端部をケースカバー４のカバー上面部４ａの凹部８に当接させることによって、スマートフォン用多機能収容ケースをスタンドとしてスマートフォン１を支持する状態を示す斜視図である。図４に、図２に示すスマートフォン用多機能収容ケースをスタンドとしてスマートフォンを支持した状態の側面図である。
【００１３】
図３は、（ａ）はスマートフォンを内部に収容・固定したスマートフォン用多機能収容ケースの立面図、（ｂ）は（ａ）左側の線Ａ−Ａの断面図、（ｃ）は右側面図、（ｄ）は平面図である。ケース上面部２とケース下面部３は略同一の矩形の外形状を有し、互いに重ね合わせることができるようになっている。１０は摺動溝を指し、ケース上面部２とケース下面部３とで構成されるケース部の側面に長手方向に沿って形成されている。本実施例では、摺動溝１０の両端部は閉じられ、ケース上面部２とケース下面部３とに跨って形成されている。摺動溝１０から摺動ピン１２が抜けなければ、摺動溝１０の両端は開いていても良く、また摺動溝１０をケース上面部２とケース下面部３の一方のみに延在させるように構成しても良い。図４は、スマートフォン用多機能収容ケースをスタンドとしてスマートフォンを支持した状態（図２）の側面図である。
【００１４】
図５（ａ）はケース上面部２の立面図、右側面図及び平面図を示し、（ｂ）はケース下面部３の立面図、右側面図及び平面図を示し、（ｃ）はケースカバー部４の立面図、右側面図及び平面図を示す。図５（ａ）の右側面図に示すように、ケース上面部２は内側に凹部１４を有し、また平面図に示すように、上下方向に凹部１５を有する。図５（ｂ）の右側面図に示すように、ケース下面部３は内側に凹部１６を有し、また平面図に示すように、上下方向に凹部１７を有する。図中、１８はスマートフォンのカメラレンズ用孔部である。ケース上面部２とケース下面部３とを凹部１４と１６及び１５と１７が互いに対向するように重ね合わせるとケース部の側面には凹部１４と１６とによって構成される摺動溝部１０が形成される。
【００１５】
図５（ｃ）は、ケースカバー部４の立面図、右側面図及び平面図を示す。ケースカバー部４は、ケース上面部２あるいはケース下面部３を選択的に覆うカバー上面部２０とカバー上面部２０の両端につながりケース部の左右側面を覆うカバー左右側面部２１ａ，２１ｂとからなり、ケースカバー部４の左右側面部２１ａ，２１ｂの端部の内側に摺動ピン１２が立設されている。摺動ピン１２はケース部の側面に設けた摺動溝１０に摺動自在に嵌合される。カバー上面部２０の摺動ピン側の端部にはケースカバー部４が摺動ピン１２を中心としてケース部の周りを回動することを可能とする凹部８が設けられている。
【００１６】
図６は、スマートフォンを含めた、スマートフォン用多機能収容ケースの分解図であり、スマートフォンを収容してスマートフォン用多機能収容ケースを組み立てる態様を示す斜視図である。組立てる場合には、ケース上面部２及びケース下面部３の間にスマートフォン１を位置させ、ケース上面部２及びケース下面部３を重ね合わせて固定する。ケース上面部２とケース下面部３とを凹部１４と１６及び１５と１７が互いに対向するように重ね合わせるとケース部の側面には凹部１４と１６とによって摺動溝部１０が形成されるが、その際にケースカバー部４の摺動ピン１２をケース部の側面に設けた摺動溝１０に摺動自在に嵌合させる。この状態で、ビスによりケース上面部２にケース下面部３を固定し、それにケース上面部２とケース下面部に収容されたスマートフォン１はケース部内に固定される。
【００１７】
図７（ａ）乃至（ｈ）は、本考案のスマートフォン用多機能収容ケースの一連の動作態様を示す。
図７（ａ）はケースカバー部４の上面部４ａがケース下面部３を被覆し、ケース上面部の上面はオープンとされスマートフォン１のディスプレイ操作部Ｄ、操作部及びスピーカ部がそれぞれディスプレイ窓部５、操作窓部６、スピーカ窓部７から外部に露出した状態を示す。次に、図７（ｂ）に示すように、摺動ピンを摺動溝に沿って前方に摺動させ、ケースカバー部を前方に引き出す。さらに、ケースカバー部に対して摺動ピンの周りにケース部に収容したスマートフォン１を回動して起こし（図７（ｃ）及び（ｄ））、図７（ｃ）に示すように、最終的にケース上面部の上面をケースカバー部４によって閉じ、スマートフォン１のディスプレイ操作部Ｄ、操作部及びスピーカ部をケースカバー部４の上面部４ａにより閉じる。
【００１８】
図７（ｅ）に示す状態から、摺動ピンを摺動溝に沿って前方に摺動させ、ケース部を後方に引き出す（図７（ｆ）。次に、ケースカバー部に対して摺動ピンの周りにケース部に収容したスマートフォン１を回動して起こし（図７（ｃ）及び（ｄ））、図７（ｅ）に示すように、最終的にケース下面部３の上面をケースカバー部４によって覆い、スマートフォン１のディスプレイ操作部Ｄ、操作部及びスピーカ部をケースカバー部４の上面部４ａにより閉じる。さらに、摺動ピンを摺動溝に摺動させて、ケースカバー部に対しケース部を上方に回動させ（図７（ｆ）、図７（ｇ）、（ｈ）に示すように回動させて、最終的にケース下面部の上面をケースカバー部４によって覆い、スマートフォン１のディスプレイ操作部Ｄ、操作部及びスピーカ部を開放する。
【００１９】
図７（ａ）乃至図（ｈ）までの動作を素早く行うことにより、スマートフォン１がケースカバー部の周りを回転しているようにも見える。また、スマートフォンにスマートフォンを振ることによって音声が出るソフトをインストールすれば、上記回動動作を行う時にヌンチャクを振る時のような強弱のある音が出て、あたかもヌンチャクを操作しているような楽しみ方ができる。さらに、図７（ｈ）において、スマートフォンを下方に摺動させて、ケース部を前方に傾斜させてケース下面部をケースカバー部の凹部端部に当接させることによって、図２のようにスマートフォンをスタンドによって立てかけたようにも見える。
【００２０】
本考案のスマートフォン用多機能収容ケースは、硬質革、硬質プラスチックあるいは金属等から形成することができ、それぞれの材質を生かした製品を得ることができる。金属によって製造する場合には、ケースカバー部によってケース上面部を閉じる時、あるいはケース下面部を覆う時に金属音が発生し、特殊な金属音効果が得られる。
【産業上の利用可能性】
【００２１】
本考案のスマートフォン用多機能収容ケースは、スマートフォンを内部に収容した状態でケース上面部及びケース下面部から構成されるケース部及びケースカバー部を相対的に摺動・回動させることによって、スマートフォンのディスプレイ操作部等の開閉を切り替えて行えるので、確実かつ優れた開閉操作を行うことができる。ケース部及びケースカバー部を相対的に素早く摺動・回動させることによって遊技感覚で多機能収容ケースに収容したスマートフォンを動作させることができ、産業上利用可能性が大である。
【符号の説明】
【００２２】
１・・・スマートフォン、２・・・ケース上面部、３・・・ケース下面部、４・・・ケースカバー部、５・・・ディスプレイ窓部、６・・・操作窓部６、７・・・スピーカ窓部、８・・・凹部、１０・・・摺動溝、１２・・・摺動ピン、１４，１５，１６，１７・・・凹部、１８・・・カメラレンズ用孔部、２０・・・カバー上面部、２１ａ、２１ｂ・・・カバー左右側面部、D・・・操作部
【図１】
0003176960.tif 000003
【図２】
0003176960.tif 000004
【図３】
0003176960.tif 000005
【図４】
0003176960.tif 000006
【図５】
0003176960.tif 000007
【図６】
0003176960.tif 000008
【図７】
0003176960.tif 000009